(57)【特許請求の範囲】
【請求項１】
建物開口部の窓用サッシの室内側にスクリーンを固定的に設置する建物開口部用スクリーン装置であって、
上記室内側に位置する左右一対の縦枠の互いに対向する位置に、該縦枠の長手方向に沿うスリットを設け、該スリットの内側に、スクリーンの左右側端に沿って設けた係合用の膨出部片を、該スリットに沿って上下摺動可能に係合させ、
該スクリーンの上下端に着脱自在の第１及び第２の保持部材を上記建物開口部の上下枠に着脱自在に保持させると共に、上記第２の保持部材を、上記スリットが溝底に設けられている縦枠の摺動溝に沿って上下にガイド可能な横桟によって構成し、
上記横桟が、第１の保持部材に保持されたスクリーンの上記建物開口部からの引き出しによって、該スクリーンに同伴して建物開口部の上下反対端に達したときに、該横桟をそこに係止可能に形成している、
ことを特徴とする建物開口部用スクリーン装置。
【請求項２】
上記第１の保持部材に保持されたスクリーンの引き出しによって、上記横桟が建物開口部の上下反対端に達したときに当接係止するのが、上記建物開口部の上枠または下枠の一部により形成される係止部であり、摺動溝から外部への該横桟の離脱が、該横桟の傾倒による上記係止部の迂回である、
ことを特徴とする請求項１に記載の建物開口部用スクリーン装置。
【請求項３】
建物開口部の上下端のいずれかに設けた支承部に着脱自在に保持させる第１の保持部材が、上記建物開口部に架設される筒状部材によって構成され、
該筒状部材は、それを上記支承部に保持させたときに、該筒状部材に対して取り付けたスクリーンを緊張させる方向に弾性的回転力を付与可能なものとして構成され、
上記筒状部材には、それを覆う開閉自在のカバーが設けられている、
ことを特徴とする請求項１または２に記載の建物開口部用スクリーン装置。
【請求項４】
上記スクリーンの上端に取り付けられる第１の保持部材が、建物開口部の上部に保持される筒状部材であり、上記スクリーンの下端に取り付けられる第２の保持部材が、上記左右一対の縦枠の摺動溝に沿って両端がガイドされる横桟である、
ことを特徴とする請求項１〜３のいずれかに記載の建物開口部用スクリーン装置。
【請求項５】
上記スクリーンの端部を第１及び第２の保持部材に対して離脱可能に係着する係着手段を、スクリーンの端部に沿って設けた係合用の膨出部片を保持部材の長手方向に沿って設けたスリットの内側への挿入によるもの、あるいは、スクリーンの端部と保持部材とに設けた面ファスナー部片の接合によるものとした、
ことを特徴とする請求項１〜４のいずれかに記載の建物開口部用スクリーン装置。
【発明の詳細な説明】
【技術分野】
【０００１】
本発明は、障子が室外側に開く外開き窓や辷り出し窓等を備えた建物開口部において窓用サッシの内側に設置するのに適したスクリーン装置に関するものであり、更に具体的には、窓用サッシの内側に位置する左右一対の縦枠間の上下部に配設されたスクリーンの保持部材により、スクリーンを固定的ではあるがメンテナンス等のために容易に引き出しあるいは取り外し可能にした、防虫、遮光、目隠し等のためのスクリーン装置に関するものである。
【背景技術】
【０００２】
特許文献１において開示されているように、建物開口部の障子が室外側に開く外開き窓や辷り出し窓等を備えた建物開口部において、防虫用の網戸を障子の開閉に支障のない窓用サッシの室内側に固定的に設けるようにしたスクリーン装置は既に知られている。この種のスクリーン装置においては、防虫用スクリーンのメンテナンスや交換等のために、窓用サッシの室内側の四周に設けられた防虫用スクリーンの取付溝に対する該スクリーンの端部の取り付けを容易にするように配慮しているが、ユーザーにおいて該防虫用スクリーンの取り外しや取り付けは、必ずしも容易ではない。
【０００３】
即ち、上記特許文献１のスクリーン装置においては、スクリーンの一方の対向する２辺を網戸枠に取り付けるに際し、その図８に示されているように、網材３０の端部の係合用の膨出部片（固定端部３１）を、網材係合部材４０の間隙４５の内側の中空部４４にその一端から挿入しているので、これらの対向２辺については、上記中空部４４への網材３０の固定端部３１の挿入により、格別の熟練を要することなく比較的容易に、しかも素早くスクリーンの取り付けや取り外しの作業を行うことができる。
【０００４】
しかしながら、残る他の２辺については、その各辺に沿って一端から他端までスクリーンの端部を溝１７に対して網材挟持部材５０で固定していく必要があり、そのため、スクリーンのメンテナンスや破損したスクリーンの交換等は、必ずしも簡便で容易なものではない。特に、障子が室外側に開く外開き窓や辷り出し窓等を備えた建物開口部において、スクリーン自体を窓用サッシに直接的に取り付けている上記特許文献１のような構成の場合には、スクリーンにおける障子側の面の清掃を行うのにスクリーンを取り外す必要があり、かかるスクリーンのメンテナンスを行うのは容易ではない。
また、例えば、特許文献２において開示されているようなスクリーン張設機構においても同様な問題がある。
【先行技術文献】
【特許文献】
【０００５】
【特許文献１】特開２００８−５０８０５号公報
【特許文献２】特開２０１０−７０９７７号公報
【発明の概要】
【発明が解決しようとする課題】
【０００６】
本発明の技術的課題は、建物開口部における窓用サッシの室内側にスクリーンを固定的に設置するものにおいて、スクリーンの清掃等のメンテナンスや、スクリーンの取付、交換等のための着脱を極めて容易に行えるように構成した建物開口部用スクリーン装置を提供することにある。
【課題を解決するための手段】
【０００７】
上記課題を解決するため、本発明によれば、建物開口部の窓用サッシの室内側にスクリーンを固定的に設置する建物開口部用スクリーン装置であって、上記室内側に位置する左右一対の縦枠の互いに対向する位置に、該縦枠の長手方向に沿うスリットを設け、該スリットの内側に、スクリーンの左右側端に沿って設けた係合用の膨出部片を、該スリットに沿って上下摺動可能に係合させ、該スクリーンの上下端に着脱自在の第１及び第２の保持部材を上記建物開口部の上下枠に着脱自在に保持させると共に、上記第２の保持部材を、上記スリットが溝底に設けられている縦枠の摺動溝に沿って上下にガイド可能な横桟によって構成し、上記横桟が、第１の保持部材に保持されたスクリーンの上記建物開口部からの引き出しによって、該スクリーンに同伴して建物開口部の上下反対端に達したときに、該横桟をそこに係止可能に形成していることを特徴とする建物開口部用スクリーン装置が提供される。
【０００８】
本発明に係る建物開口部用スクリーン装置の好ましい実施形態においては、上記第１の保持部材に保持されたスクリーンの引き出しによって、上記横桟が建物開口部の上下反対端に達したときに当接係止するのが、上記建物開口部の上枠または下枠の一部により形成される係止部であり、摺動溝から外部への該横桟の離脱が、該横桟の傾倒による上記係止部の迂回であるものとして構成される。
【０００９】
また、本発明に係る建物開口部用スクリーン装置の他の好ましい実施形態においては、建物開口部の上下端のいずれかに設けた支承部に着脱自在に保持させる第１の保持部材が、上記建物開口部に架設される筒状部材によって構成され、該筒状部材は、それを上記支承部に保持させたときに、該筒状部材に対して取り付けたスクリーンを緊張させる方向に弾性的回転力を付与可能なものとして構成され、上記筒状部材には、それを覆う開閉自在のカバーが設けられているものとして構成される。
【００１０】
更に、本発明の好ましい実施形態においては、上記スクリーンの上端に取り付けられる第１の保持部材が、建物開口部の上部に保持される筒状部材であり、上記スクリーンの下端に取り付けられる第２の保持部材が、上記左右一対の縦枠の摺動溝に沿って両端がガイドされる横桟であるものとし、また、上記スクリーンの端部を第１及び第２の保持部材に対して離脱可能に係着する係着手段を、スクリーンの端部に沿って設けた係合用の膨出部片を保持部材の長手方向に沿って設けたスリットの内側への挿入によるもの、あるいは、スクリーンの端部と保持部材とに設けた面ファスナー部片の接合によるものとして構成される。
【００１１】
上記構成を有する建物開口部用スクリーン装置においては、左右一対の縦枠に設けた長手方向のスリットに沿ってスクリーンを上下摺動可能にしているので、一方の保持部材と共に、あるいは該保持部材からスクリーンを取り外して、該スクリーンを上下いずれかの方向に引き出して清掃し、あるいは、破損したスクリーンを抜き出して新しいものと交換することができる。また、上記スクリーンの清掃は、該スクリーンを上述したように上下いずれかの方向に引き出して、横桟が建物開口部の上下反対端に達したときに、該横桟をそこに一旦係止させた状態にして、スクリーンの障子側の面の清掃を行うこともできるので、スクリーンの実質的な取り外しを行うことなく、極めて容易にその清掃等のメンテナンスを行うことができる。
【００１２】
更に、上記スクリーンの上下端に保持部材を着脱自在に係着する係着手段として、スクリーンの端部に沿って設けた係合用の膨出部片を保持部材の長手方向に沿って設けたスリットの内側へ該スリット端から挿入し、あるいは、スクリーンの端部と保持部材とに設けた面ファスナー部片の接合によりそれらの係着を行うものとすることにより、スクリーンの取り外し、取り付けを一層容易且つ簡便に行うことが可能になる。
【００１３】
なお、上記スクリーン装置においては、第１及び第２の保持部材を建物開口部におけるスクリーンの上下端のいずれの側に取り付けることもでき、例えば、第１の保持部材としての左右一対の縦枠の上部間に架設される筒状部材を、建物開口部の下部に配置して、それを覆う開閉自在のカバーを設け、第２の保持部材を構成する横桟を、建物開口部の上部において左右一対の縦枠の摺動溝により上下摺動自在にガイドさせるような構成とすることもできる。
【発明の効果】
【００１４】
以上に詳述した本発明のスクリーン装置によれば、建物開口部における窓用サッシの室内側にスクリーンを固定的に設置するものにおいて、スクリーンの清掃等のメンテナンスや、スクリーンの取付、交換等のための着脱を極めて容易に行えるようにした構成の建物開口部用スクリーン装置を得ることができる。
【図面の簡単な説明】
【００１５】
【図１】本発明に係る建物開口部用スクリーン装置の実施例を示す縦断面図である。
【図２】同実施例の水平断面図である。
【図３】同実施例におけるスクリーン及びそれに付帯する上下部保持部材等の正面図である。
【図４】上記スクリーン及びそれに付帯する上部保持部材の部分破断斜視図である。
【図５】スクリーンの上部を保持する上部保持部材の端部の支持構造を示す部分破断分解斜視図である。
【図６】（Ａ）及び（Ｂ）は、スクリーンの上部を保持する上部保持部材の端部の支持構造のそれぞれ異なる動作状態を示す要部平面図である。
【図７】（Ａ）及び（Ｂ）は、それぞれ図６の（Ａ）及び（Ｂ）に対応する要部正面図である。
【図８】（Ａ）及び（Ｂ）は、スクリーンの上部を保持する上部保持部材の端部の支持構造のそれぞれ異なる動作状態を示す内側面図である。
【図９】下部の保持部材の構成を示す拡大断面図である。
【図１０】スクリーンの取り外し状態を示す上記建物開口部用スクリーン装置の縦断面図である。
【発明を実施するための形態】
【００１６】
図面は、本発明に係る建物開口部用スクリーン装置の実施の一例を示している。この建物開口部用スクリーン装置は、建物開口部１における障子３が室外側に開く外開き窓や辷り出し窓等である場合において、窓用サッシ２の内側に設置するのに適したもので、図示の実施例では、ハンドル４の回転操作により障子３が室外側に開く外開き窓を例示しているが、かかる構成に限るものではない。
【００１７】
このスクリーン装置においては、障子３が室外側に開くために、建物開口部１の窓用サッシ２の室内側にスクリーン５を取り付けるが、この場合、スクリーン５が長期にわたる通風により汚れたときに、スクリーンの清掃等のメンテナンスを行い、あるいは破損したときのスクリーンの交換を容易にしておく必要がある。なお、スクリーンを別途スクリーン枠に張設して窓用サッシ２に取り付けると、上記ハンドル４等の存在によってその着脱操作が容易になるとは限らず、また、建物開口部１を通しての視野が制限されることにもなるので望ましくない。
【００１８】
このようなスクリーン５の取り付けを前提にするため、まず、図２に示すように、窓用サッシ２の室内側に位置する左右一対の縦枠６の互いに対向する位置に、該縦枠６の長手方向に沿うスリット６ａを設け、該スリット６ａの内側に、スクリーン５の左右側端に沿って設けた係合用の膨出部片５ａを、該スリット６ａに沿って上下摺動可能に係合させている。上記膨出部片５ａとしては、布等の端部の接合に用いているファスナーの半体を利用するのが望ましい。
そして、上記スクリーン５は、その上下端に第１及び第２の保持部材１０，２０を、以下に詳述するように取り外し可能にして取り付け、それらの操作により、後述するように該スクリーン５を容易に縦枠６のスリット６ａに沿って上下いずれかの方向に引き出し、あるいは取り外しできるようにしている。
【００１９】
上記スクリーン５の上下端に着脱自在の第１及び第２の保持部材１０，２０について詳細に説明すると、まず上記スクリーン５の上端に取り付けている第１の保持部材１０は、図示の実施例では、建物開口部１の上記左右一対の縦枠６の上部間に架設される筒状部材１１にスクリーン５を離脱可能に係着する面ファスナー１３等の係着手段１２を付設することよって構成され、該筒状部材１１は、図５に示すような上記一対の縦枠６の上端に設けた後述する支承部１４に着脱自在に保持させている。
【００２０】
上記筒状部材１１は、図４に明瞭に示すように、その上側面に、スクリーン５の上端を障子３側から室内側に向けて巻き掛けて、該スクリーン５の上端を室内側に導出する場合の摺動曲面１１ａを形成したものであり、該筒状部材１１の下面側は面ファスナー１３によるスクリーン５の取り付けを容易にするために平面状に形成している。上記スクリーン５を筒状部材１１に係着する係着手段１２としては、ここでは上記面ファスナー１３を用い、互いに接合される面ファスナー部片を筒状部材１１の下面とスクリーン５の上端部に取り付けているが、他の手段、例えば、スクリーン５の上端に沿って、前記スクリーン５の側端の係合用の膨出部片５ａと同様なものを設け、それを、上記筒状部材１１の長手方向に沿って設けたスリットの内側へ、該スリットの端部からの挿入により取り付けるようにするなど、貼着や挿通という簡単な手段により一挙に全長にわたり所定の位置関係で連結できる手段を採用することができる。
【００２１】
また、図３及び図５〜図７に示す実施例においては、上記筒状部材１１の両端に設けられている角形の軸孔１１ｂに内蔵ばね１５で突出方向に付勢された角軸１６を収容し、該角軸１６にはその側面から上記軸孔１１ｂの側壁の長孔１１ｃを貫通して、筒状部材１１のスクリーン５が当接しない側の外側面に突出する操作棒１６ａを付設し、その先端に筒状部材１１の外側面を摺動する操作子１６ｂを取り付けている。上記長孔１１ｃは、上記軸孔１１ｂに沿って角軸１６を支承部１４の角穴１４ｂに十分に挿入できる位置と、該角穴１４ｂから完全に脱出する位置との範囲で移動可能にするものである。従って、該操作子１６ｂの操作により軸孔１１ｂ内の内蔵ばね１５の付勢力に抗して角軸１６を軸孔１１ｂ内に没入させ、あるいは内蔵ばね１５の付勢力で突出させ、それにより支承部１４の角穴１４ｂに挿脱することができる。
なお、上記角軸１６は、筒状部材１１の一端のみに設け、他端は回転自在の軸受とすることもできる。
【００２２】
一方、上記筒状部材１１を支承する支承部１４は、図５及び図８に示すように、建物開口部１の窓用サッシ２の上枠７の軸受部分７ａに回転自在に支持された回転子１４ａを備え、該回転子１４ａに、上記筒状部材１１の端部に弾性的に出没自在とした角軸１６が嵌入する角穴１４ｂを設け、該角穴１４ｂに上記角軸１６を嵌挿して回転子１４ａに保持させた筒状部材１１に対して、スクリーン５を緊張させる矢印方向に弾性的回転力を付与するためのスプリング１４ｃを内蔵している。
また、上記建物開口部１の窓用サッシ２の上枠７における上記筒状部材１１の設置部分には、該筒状部材１１を覆う開閉自在のカバー１７が取り付けられている。
【００２３】
上記スクリーン５の下端に配設している第２の保持部材２０は、図２及び図９に明瞭に示すように、上記左右一対の縦枠６間における建物開口部１の下枠８に着脱自在に保持させると共に、左右一対の縦枠６の長手方向に向けて設けた摺動溝６ｂに沿って上下摺動自在にガイドされる横桟２１によって構成している。上記縦枠６の摺動溝６ｂは、スクリーン５の左右側端の膨出部片５ａを係合させる前記スリット６ａを、その溝底に設けているものである。
【００２４】
上記横桟２１に対するスクリーン５の着脱自在の取り付けは、該スクリーン５の下端にも、前述したスクリーン５の側端の係合用の膨出部片５ａと同様な膨出部片５ｂを設け、それを上記横桟２１の上面に長手方向に沿って設けた取付溝２１ａ内のスリット２１ｂの内側へ、該スリット２１ｂの端部からの挿通により取り付けるようにしているが、より簡単にスクリーン５を横桟２１から着脱可能にするためには、例えば、上記膨出部片５ｂを下側から挟むように二つ折りにして係合保持するが、弾性的に拡開傾向を有しているスクリーン端保持部材を用い、それを上記横桟２１の取付溝２１ａに押入係止させるような既知の手段（例えば、特開２００５−４８４３７号公報のスクリーン端保持部材２２参照）を採用することもできる。
また、上記横桟２１に対するスクリーン５の端部の固定にも、筒状部材１１の場合と同様に面ファスナーを用いることもできる。
【００２５】
また、上記横桟２１の下枠８に対する着脱自在の保持は、該横桟２１の下部側面に弾性的に突出する複数の突子２１ｃを設けて、下枠８に形成した凹溝８ａ内に図９に示すように横桟２１を圧嵌したとき、該突子２１ｃが凹溝８ａ内側面に圧接するように形成しているが、かかる構成に限るものではない。
【００２６】
また、図１０に示すように、上記筒状部材１１に保持されたスクリーン５は、建物開口部１の上部から引き出すことができるものであり、この引き出しによって下枠８の凹溝８ａから外された上記横桟２１がスクリーン５に引かれて建物開口部１の上端に達したときに、引き出されたスクリーンを図１０の状態で簡易に清掃等のメンテナンス可能にするため、該横桟２１をそこに一旦係止可能に形成している。この横桟２１の係止は、建物開口部１の上枠７の一部に形成した係止部７ｂに横桟２１を当接させることにより行うものである。
但し、この係止部７ｂに当接した横桟２１の取り出しは、前記カバー１７を開くと共に筒状部材１１を支承部１４から取り外した状態で、横桟２１の上部を室内側に傾倒させることにより、上記係止部７ｂを迂回して摺動溝６ｂから外部へ離脱できるように形成している。
【００２７】
上記構成を有するスクリーン装置においては、第１及び第２の保持部材１０，２０を構成する筒状部材１１及び横桟２１を、建物開口部１におけるスクリーン５の上下端のいずれの側に取り付けることもでき、例えば、上記筒状部材１１を、建物開口部１の下部に配置して、それを覆う開閉自在のカバーを設け、また上記横桟２１を、建物開口部１の上部において左右一対の縦枠６の摺動溝６ｂにより上下摺動自在にガイドさせるような構成とすることもできる。
【００２８】
このようなスクリーン装置においては、左右一対の縦枠６に設けた長手方向のスリット６ａに沿ってスクリーン５を上下摺動可能にしているので、一方の保持部材１０または２０と共に、あるいは該保持部材からスクリーン５を取り外して、該スクリーンを上下いずれかの方向に引き出して清掃し、あるいは、破損したスクリーンを抜き出して新しいものと交換することができる。また、上記スクリーン５の清掃は、上述したようにスクリーン５を上下いずれかの方向に引き出して、横桟２１が建物開口部の上下反対端に達したときに、該横桟をそこに一旦係止させた状態にして、スクリーンの障子側の面の清掃を行うこともでき、そのため、スクリーン５の実質的な取り外しを行うことなく、極めて容易にその清掃等のメンテナンスを行うことができる。
【符号の説明】
【００２９】
１      建物開口部
２      窓用サッシ
５      スクリーン
５ａ    膨出部片
６      縦枠
６ａ    スリット
６ｂ    摺動溝
７      上枠
８      下枠
１０      第１の保持部材
１１      筒状部材
１３      面ファスナー
１４      支承部
１７      カバー
２０      第２の保持部材
２１      横桟
【図１】
0005912262.tif 000002
【図２】
0005912262.tif 000003
【図３】
0005912262.tif 000004
【図４】
0005912262.tif 000005
【図５】
0005912262.tif 000006
【図６】
0005912262.tif 000007
【図７】
0005912262.tif 000008
【図８】
0005912262.tif 000009
【図９】
0005912262.tif 000010
【図１０】
0005912262.tif 000011